(57)【要約】【課題】ランプの並置間隔が異なる光源装置であっても、共通のクリップでランプを挾持することができ、また、光源装置のクリップによる輝度ムラを減少することができるクリップを提供する。【解決手段】並置される複数本のランプを挾持する複数の挾持部３２，３２を一面に設け、前記ランプが支持される支持部材に取付けるべき取付部３４と、挾持部３２，３２の前記支持部材に対する位置を保持すべき保持凸部３５，３５とを設け、挾持部の少なくとも二つの間に、該挾持部３２，３２の間の距離を変更する方向への撓みが可能な二つの可撓部３６，３６を設けた。【選択図】図１
2008066283.tif 000002
【特許請求の範囲】
【請求項１】
並置される杆状の複数本のランプを挾持する複数の挾持部を有するクリップにおいて、少なくとも二つの前記挾持部の相対位置を変更することが可能な位置変更手段を備えることを特徴とするクリップ。
【請求項２】
並置される杆状の複数本のランプを挾持する複数の挾持部を有するクリップにおいて、前記挾持部の少なくとも二つの間の、前記ランプが並置される方向への距離を変更することが可能な距離変更手段を備えることを特徴とするクリップ。
【請求項３】
並置される杆状の複数本のランプを挾持する複数の挾持部を有するクリップにおいて、前記挾持部の少なくとも二つの間に可撓部を有することを特徴とするクリップ。
【請求項４】
前記可撓部は前記挾持部の間の距離を変更する方向への撓みが可能である請求項３記載のクリップ。
【請求項５】
前記可撓部は前記挾持部の間に複数配置してある請求項３又は４記載のクリップ。
【請求項６】
並置される杆状の複数本のランプを挾持する複数の挾持部を有するクリップにおいて、前記挾持部の少なくとも二つの間に貫通孔を有し、該貫通孔と前記挾持部との間に、前記挾持部の間の距離を変更する方向への撓みが可能な可撓部を有することを特徴とするクリップ。
【請求項７】
並置される杆状の複数本のランプを挾持する複数の挾持部を一面に有し、前記ランプが支持される支持部材に取付けるべき取付部を他面に有するクリップにおいて、前記挾持部の少なくとも二つの間に、該挾持部の間の距離を変更する方向への撓みが可能な可撓部を有し、該可撓部より前記挾持部側へ離隔した位置に、前記挾持部の前記支持部材に対する位置を保持すべき保持凸部を有することを特徴とするクリップ。
【請求項８】
前記可撓部は前記挾持部の間に複数配置してあり、該可撓部の間に前記取付部を配置してある請求項７記載のクリップ。
【請求項９】
前記可撓部の間から前記挾持部より外方へ延出されている柱形突起を有する請求項５又は８に記載のクリップ。
【請求項１０】
並置される杆状の複数本のランプを挾持する複数の挾持部を一面に有し、前記ランプが支持される支持部材に取付けるべき取付部を他面に有するクリップにおいて、前記挾持部の少なくとも二つの間の前記他面に二つの可撓溝部を有し、該可撓溝部の間の前記一面に可撓溝部を有することを特徴するクリップ。
【請求項１１】
並置される杆状の複数本のランプを挾持する複数の挾持部を有するクリップにおいて、前記挾持部の少なくとも一つを可動にしてあることを特徴とするクリップ。
【請求項１２】
前記可動の挾持部は、挾持部の間の距離を変更する方向への摺動が可能である請求項１１記載のクリップ。
【請求項１３】
前記可動の挾持部が摺動する方向と交差する方向への回動を規制する規制部を有する請求項１１又は１２記載のクリップ。
【請求項１４】
前記可動の挾持部は、回動を可能に複数並置されている請求項１１記載のクリップ。
【請求項１５】
並置される複数本のランプと、該ランプが支持される支持部材と、請求項１乃至１４のいずれか一つに記載のクリップとを備えることを特徴とする光源装置。
【請求項１６】
前記支持部材は前記ランプが並置される並置方向の位置に開設されている複数の第１の取付孔、及び前記並置方向と傾斜する位置に開設されている複数の第２の取付孔を有し、前記クリップは前記取付孔に挿嵌される取付部を有する請求項１５記載の光源装置。
【請求項１７】
並置される複数本のランプと、該ランプが支持される支持部材と、前記ランプの中間部を挾持する複数の挾持部を有するクリップとを備える光源装置において、前記クリップは、並置される前記ランプの並置間隔に対応して前記挾持部の少なくとも二つの間の距離を変更することが可能な距離変更手段を有することを特徴とする光源装置。
【発明の詳細な説明】
【技術分野】
【０００１】
本発明は杆状のランプを挾持するクリップ及び液晶表示装置等の表示装置の光源として使用される光源装置に関する。
【背景技術】
【０００２】
テレビジョン等の表示装置は、画像を表示する表示面を前側に有する表示部の後側に光源装置が配されている。
【０００３】
光源装置は、後壁に複数の係止孔を有し、前側が開放されている支持部材（筺体）と、該支持部材内に等間隔で上下に並置される杆状の複数本のランプと、該ランプの両端部を前記後壁に保持するホルダと、前記ランプの中間部を前記後壁に保持する複数のクリップとを備える（例えば、特許文献１参照）。
【０００４】
クリップは、前記後壁の係止孔に挿嵌することにより係止される二つの係止部及び隣合う２本以上の前記ランプの中間部が挿嵌される二つ以上の挾持部と、該二つ以上の挾持部間に突設され、前記表示部における光学シートの中間部を受止める突起とを有し、隣合う２本以上のランプの中間部を一つのクリップが前記後壁に保持するように構成されている。
【０００５】
ところで、テレビジョン等の表示装置は、表示面の大きさが異なる複数の機種があり、この表示装置の機種に対応して光源装置が形成されているため、光源装置も複数の機種があり、機種間でランプの並置間隔が異なり、また、クリップにおける挾持部間の距離も異なる。従って、クリップは、光源装置の機種に応じて形成されており、挾持部間の距離が異なる複数の種類がある。
【０００６】
テレビジョン等の表示装置は大型化する傾向にあり、表示装置の大型化に伴って光源装置の杆状のランプも長尺になるため、特許文献１に記載されている光源装置は、ランプの長手方向中央部を挾持するクリップを用い、該クリップを支持部材に取付けることによりランプを保護するとともに、ランプの並置精度を維持することができるように構成されている。前記クリップは隣合う２本のランプの中間部を挾持する二つの第１挾持部及び前記支持部材に取付けられる第１取付部を有する第１クリップと、１本のランプの中間部を挾持する第２挾持部及び前記支持部材に取付けられる第２取付部を有する第２クリップとを備え、前記第１取付部に対応する第１取付孔及び前記第２取付部に対応する第２取付孔が前記支持部材に開設してある。
【０００７】
また、光源装置の構成例として、前側が開放されている支持部材と、該支持部材内に異なる間隔で上下に並置される複数本の杆状のランプと、該ランプの両端部を前記支持部材の内側に保持するホルダとを備える構成がある（例えば、特許文献２参照）。前記ランプは上下方向中央部の並置間隔を狭くし、上側及び下側の並置間隔を広くすることにより、前記表示面の中央部におけるランプ輝度を最も高くし、前記表示面の上下端に向かうにしたがってランプ輝度を徐々に低下させ、ランプの本数を低減することができるように構成されている。
【０００８】
ところで、特許文献２の光源装置において、特許文献１に記載されているクリップを用いてランプの中央部を支持する場合、次の二つの方法が考えられる。
(1) 第２クリップをランプの並置方向に対して千鳥状に配置する。
(2) 二つの第１挾持部間の距離が異なる複数種類の第１クリップをランプの並置方向に対して千鳥状に配置する。
【特許文献１】特開２００１−２１０１２６号公報
【特許文献２】特開平６−７５２１６号公報
【発明の開示】
【発明が解決しようとする課題】
【０００９】
しかしながら、上記(1) の場合、一度に２本以上のランプを挾持することができないため、ランプの本数に対する第２クリップの個数が増加しクリップの組込作業性が悪くなるという問題がある。
また、上記(2) の場合、ランプの並置間隔に対応する複数種類の第１クリップごとに成形型が必要であり、成形型の償却を含むクリップの製造コスト、ひいては光源装置のコストが増加するという問題がある。
【００１０】
また、クリップは上述したように光源装置の機種に応じて複数の種類に形成されているため、クリップの種類ごとに成形型が必要であり、成形型の償却を含むクリップの製造コスト、ひいてはクリップのコスト、光源装置のコストが増加することになり、改善策が要望されていた。
【００１１】
本発明は斯かる事情に鑑みてなされたものであり、主たる目的は並置される杆状の複数本のランプを挾持する少なくとも二つの挾持部の相対位置を変更することが可能な位置変更手段を設けることにより、ランプの並置間隔が異なる光源装置であっても、共通のクリップでランプを挾持することができるクリップを提供することにある。
【００１２】
また、他の目的は挾持部の少なくとも二つの間の、ランプが並置される方向への距離を変更することが可能な距離変更手段を設けることにより、ランプの並置間隔が異なる光源装置であっても、共通のクリップでランプを挾持することができるクリップを提供することにある。
【００１３】
また、他の目的は並置される杆状の複数本のランプを挾持する挾持部の少なくとも二つの間に可撓部を設けることにより、ランプの並置間隔が異なる光源装置であっても、共通のクリップでランプを挾持することができ、また、光源装置のクリップによる輝度ムラを減少することができるクリップを提供することにある。
【００１４】
また、他の目的は可撓部を挾持部の間の距離を変更する方向への撓みが可能とすることにより、少なくとも二つの挾持部をランプの長手方向へ変位させることができ、光源装置のクリップによる輝度ムラをより一層減少することができるクリップを提供することにある。
【００１５】
また、他の目的は挾持部の間に可撓部を複数配置することにより、ランプに曲げ負荷をかけることなくランプを挾持することができるクリップを提供することにある。
【００１６】
また、他の目的は並置される複数本のランプを挾持する挾持部の少なくとも二つの間に貫通孔を設け、該貫通孔の両側に可撓部を設けることにより、ランプの並置間隔が異なる光源装置であっても、共通のクリップでランプを保持することができ、また、光源装置のクリップによる輝度ムラを減少することができるクリップを提供することにある。
【００１７】
また、他の目的は可撓部より挾持部側へ離隔した位置に、挾持部の支持部材に対する位置を保持すべき保持凸部を設けることにより、ランプの挾持姿勢をより一層安定させることができるクリップを提供することにある。
【００１８】
また、他の目的は複数の可撓部の間に取付部を配置することにより、取付部を一つにすることができ、コストを低減できるクリップを提供することにある。
【００１９】
また、他の目的は可撓部の間から挾持部より外方へ延出されている柱形突起を設けることにより、可撓部に影響されることなく柱形突起の起立状態を保つことができるクリップを提供することにある。
【００２０】
また、他の目的は並置される複数本のランプを挾持する挾持部の少なくとも二つの間の他面に二つの可撓溝部を設け、該可撓溝部の間の一面に可撓溝部を設けることにより、ランプの並置間隔が異なる光源装置であっても、共通のクリップでランプの挾持姿勢を安定させることができるクリップを提供することにある。
【００２１】
また、他の目的は並置される杆状の２本のランプを挾持する二つの挾持部の少なくとも一つを可動にすることにより、ランプの並置間隔が異なる光源装置であっても、共通のクリップでランプを挾持することができるクリップを提供することにある。
【００２２】
また、他の目的は可動の挾持部を、挾持部の間の距離を変更する方向への摺動を可能とすることにより、ランプの挾持作業性を向上できるクリップを提供することにある。
【００２３】
また、他の目的は可動の挾持部が摺動する方向と交差する方向への回動を規制する規制部を設けることにより、ランプに曲げ負荷をかけることなくランプを挾持することができるクリップを提供することにある。
【００２４】
また、他の目的は可動の挾持部を、回動を可能に複数並置することにより、二つの挾持部をランプと平行となるように位置調整することができ、並置間隔が異なるランプの挾持作業性を向上できるクリップを提供することにある。
【００２５】
また、他の目的は並置される複数本のランプと、該ランプが支持される支持部材と、前述の発明のクリップとを備えることにより、ランプの並置間隔が異なる光源装置であっても、共通のクリップでランプを挾持することができ、また、光源装置のクリップによる輝度ムラを減少することができる光源装置を提供することにある。
【００２６】
また、他の目的はランプが並置される並置方向の位置に開設されている複数の第１の取付孔、及び前記並置方向と傾斜する位置に開設されている複数の第２の取付孔を支持部材に設け、取付孔に挿嵌される取付部をクリップに設けることにより、二つの挾持部間の前記並置方向の距離を調整することなく、並置間隔が異なるランプを容易に挾持することができる光源装置を提供することにある。
【００２７】
また、他の目的は並置されるランプの並置間隔に対応して挾持部の少なくとも二つの間の距離を変更することが可能な距離変更手段をクリップに設けることにより、ランプの並置間隔が異なる場合であっても、共通のクリップでランプを挾持することができる光源装置を提供することにある。
【課題を解決するための手段】
【００２８】
本発明に係るクリップは、並置される杆状の複数本のランプを挾持する複数の挾持部を有するクリップにおいて、少なくとも二つの前記挾持部の相対位置を変更することが可能な位置変更手段を備えることを特徴とするクリップ。
【００２９】
この発明にあっては、位置変更手段により二つの挾持部の相対位置を変更することができるため、ランプの並置間隔が異なる光源装置であっても、共通のクリップでランプを挾持することができ、光源装置の機種に対するクリップの種類を減少することができる。
【００３０】
また、本発明に係るクリップは、並置される杆状の複数本のランプを挾持する複数の挾持部を有するクリップにおいて、前記挾持部の少なくとも二つの間の、前記ランプが並置される方向への距離を変更することが可能な距離変更手段を備えることを特徴とする。
【００３１】
この発明にあっては、距離変更手段により二つの挾持部の間の距離を変更することができるため、ランプの並置間隔が異なる光源装置であっても、共通のクリップでランプを挾持することができ、光源装置の機種に対するクリップの種類を減少することができる。
【００３２】
また、本発明に係るクリップは、並置される杆状の複数本のランプを挾持する複数の挾持部を有するクリップにおいて、前記挾持部の少なくとも二つの間に可撓部を有することを特徴とする。
【００３３】
この発明にあっては、可撓部の撓みにより二つの挾持部の間の距離を変えることができるため、ランプの並置間隔が異なる光源装置であっても、共通のクリップでランプを挾持することができ、光源装置の機種に対するクリップの種類を減少することができる。従って、クリップのコストを低減でき、また、クリップの管理が行い易い。
【００３４】
また、可撓部は二つの挾持部の間の距離を変えることができる程度に薄肉に形成されるため、ランプからクリップに吸熱される熱容量を低減できる。従って、ランプの点灯初期において、ランプの温度が定常状態になる時間を早くすることができ、輝度ムラの発生時間を短くすることができ、表示品位を改善できる。また、一体に成形することが可能であるため、クリップの材料費を低減でき、コストをより一層低減できる。
【００３５】
また、本発明に係るクリップは、前記可撓部は前記挾持部の間の距離を変更する方向への撓みが可能であることを特徴とする。
【００３６】
この発明にあっては、可撓部の撓みにより複数の挾持部の間の距離を変えたとき、複数の挾持部をランプの長手方向へ変位させることができ、隣合うランプ同士の挾持部が上下方向に重ならなくなるので、光源装置のクリップによる輝度ムラをより一層減少することができる。
【００３７】
また、本発明に係るクリップは、前記可撓部は前記挾持部の間に複数配置してあることを特徴とする。
【００３８】
この発明にあっては、複数の可撓部の撓みにより複数の挾持部を平行的に配置することができるため、ランプに曲げ負荷をかけることなくランプを挾持することができる。
【００３９】
また、本発明に係るクリップは、並置される杆状の複数本のランプを挾持する複数の挾持部を有するクリップにおいて、前記挾持部の少なくとも二つの間に貫通孔を有し、該貫通孔と前記挾持部との間に、前記挾持部の間の距離を変更する方向への撓みが可能な可撓部を有することを特徴とする。
【００４０】
この発明にあっては、可撓部の撓みにより複数の挾持部の間の距離を変えることができるため、ランプの並置間隔が異なる光源装置であっても、共通のクリップでランプを保持することができ、光源装置の機種に対するクリップの種類を減少することができる。従って、クリップのコストを低減でき、また、クリップの管理が行い易い。また、可撓部の撓みにより複数の挾持部の間の距離を変えたとき、複数の挾持部をランプの長手方向へ変位させることができ、隣合うランプ同士の挾持部が上下方向に重ならなくなるので、光源装置のクリップによる輝度ムラを減少することができる。
また、貫通孔により可撓部が形成されており、ランプからクリップに吸熱される熱容量を低減できるため、ランプの点灯初期において、ランプの温度が定常状態になる時間を早くすることができ、輝度ムラの発生時間を短くすることができ、表示品位を改善できる。また、クリップの材料費を低減でき、コストをより一層低減できる。
【００４１】
また、本発明に係るクリップは、並置される杆状の複数本のランプを挾持する複数の挾持部を一面に有し、前記ランプが支持される支持部材に取付けるべき取付部を他面に有するクリップにおいて、前記挾持部の少なくとも二つの間に、該挾持部の間の距離を変更する方向への撓みが可能な可撓部を有し、該可撓部より前記挾持部側へ離隔した位置に、前記挾持部の前記支持部材に対する位置を保持すべき保持凸部を有することを特徴とする。
【００４２】
この発明にあっては、支持部材に開設される孔に保持凸部が挿嵌されることにより、挾持部の支持部材に対する位置を保持することができ、ランプの挾持姿勢をより一層安定させることができる。
【００４３】
また、本発明に係るクリップは、前記可撓部は前記挾持部の間に複数配置してあり、該可撓部の間に前記取付部を配置してあることを特徴とする。
【００４４】
この発明にあっては、複数の挾持部の支持部材に対する位置を保持することができるに拘らず、取付部を一つにすることができ、コストを低減できる。
【００４５】
また、本発明に係るクリップは、前記可撓部の間から前記挾持部より外方へ延出されている柱形突起を有することを特徴とする。
【００４６】
この発明にあっては、可撓部に影響されることなく柱形突起の起立状態を保つことができるため、表示装置における光学シートを適正に受止めることができる。
【００４７】
また、本発明に係るクリップは、並置される複数本のランプを挾持する複数の挾持部を一面に有し、前記ランプが支持される支持部材に取付けるべき取付部を他面に有するクリップにおいて、前記挾持部の少なくとも二つの間の前記他面に二つの可撓溝部を有し、該可撓溝部の間の前記一面に可撓溝部を有することを特徴する。
【００４８】
この発明にあっては、可撓溝部の撓みにより複数の挾持部をランプと平行的に変位させることができるため、ランプの並置間隔が異なる光源装置であっても、共通のクリップでランプの挾持姿勢を安定させることができる。
【００４９】
また、本発明に係るクリップは、並置される杆状の複数本のランプを挾持する複数の挾持部を有するクリップにおいて、前記挾持部の少なくとも一つを可動にしてあることを特徴とする。
【００５０】
この発明にあっては、挾持部を可動させることにより複数の挾持部の間の距離を変えることができるため、ランプの並置間隔が異なる光源装置であっても、共通のクリップでランプを挾持することができ、並置間隔が異なるランプに対するクリップの種類を減少することができる。従って、クリップのコストを低減でき、また、クリップの管理が行い易い。
【００５１】
また、本発明に係るクリップは、前記可動の挾持部は、挾持部の間の距離を変更する方向への摺動が可能であることを特徴とする。
【００５２】
この発明にあっては、挾持部を摺動操作することにより複数の挾持部の間の距離を容易に変えることができるため、ランプの挾持作業性を向上できる。
【００５３】
また、本発明に係るクリップは、前記可動の挾持部が摺動する方向と交差する方向への回動を規制する規制部を有することを特徴とする。
【００５４】
この発明にあっては、可動の挾持部をランプと平行的に摺動させることができるため、ランプに曲げ負荷をかけることなくランプを挾持することができる。
【００５５】
また、本発明に係るクリップは、前記可動の挾持部は、回動を可能に複数並置されていることを特徴とする。
【００５６】
この発明にあっては、ランプの並置方向の位置にクリップを配置することにより、二つの挾持部間の前記並置方向の距離を長くすることができ、また、前記並置方向と傾斜する位置にクリップを配置することにより、二つの挾持部間の前記並置方向の距離を短くすることができ、また、二つの挾持部を回動操作することにより、二つの挾持部をランプと平行となるように位置調整することができる。従って、並置間隔が異なるランプの挾持作業性を向上できる。
【００５７】
また、本発明に係る光源装置は、並置される複数本のランプと、該ランプが支持される支持部材と、前述の発明のクリップとを備えることを特徴とする。
【００５８】
この発明にあっては、ランプの並置間隔が異なる光源装置であっても、共通のクリップでランプを挾持することができ、光源装置の機種に対するクリップの種類を減少することができる。従って、クリップを備える光源装置のコストを低減でき、また、光源装置のクリップの管理が行い易い。
【００５９】
また、本発明に係る光源装置は、前記支持部材は前記ランプが並置される並置方向の位置に開設されている複数の第１の取付孔、及び前記並置方向と傾斜する位置に開設されている複数の第２の取付孔を有し、前記クリップは前記取付孔に挿嵌される取付部を有することを特徴とする。
【００６０】
この発明にあっては、第１の取付孔にクリップの取付部を挿嵌することにより、挾持部間の前記並置方向の距離を長くすることができ、また、第２の取付孔にクリップの取付部を挿嵌することにより、挾持部間の前記並置方向の距離を短くすることができるため、挾持部間の前記並置方向の距離を調整することなく、並置間隔が異なるランプを容易に挾持することができる。
【００６１】
また、本発明に係る光源装置は、並置される複数本のランプと、該ランプが支持される支持部材と、前記ランプの中間部を挾持する複数の挾持部を有するクリップとを備える光源装置において、前記クリップは、並置される前記ランプの並置間隔に対応して前記挾持部の少なくとも二つの間の距離を変更することが可能な距離変更手段を有することを特徴とする。
【００６２】
この発明にあっては、距離変更手段により挾持部間の距離を変更することができるため、ランプの並置間隔が異なる光源装置であっても、共通のクリップでランプを挾持することができ、光源装置の機種に対するクリップの種類を減少することができる。
【発明の効果】
【００６３】
本発明によれば、ランプの並置間隔が異なる光源装置であっても、共通のクリップでランプを挾持することができるため、光源装置の機種に対するクリップの種類を減少することができ、クリップのコストを低減でき、また、クリップの管理が行い易い。
また、ランプからクリップに吸熱される熱容量を低減できるため、ランプの点灯初期において、ランプの温度が定常状態になる時間を早くすることができ、輝度ムラの発生時間を短くすることができ、表示品位を改善できる。また、クリップの材料費を低減でき、コストを低減できる。
【００６４】
また、本発明によれば、可撓部の撓みにより複数の挾持部をランプの長手方向へ変位させることができ、隣合うランプ同士の挾持部が上下方向に重ならなくなるので、光源装置のクリップによる輝度ムラをより一層減少することができる。
【００６５】
また、本発明によれば、複数の可撓部の撓みにより複数の挾持部を平行的に配置することができるため、ランプに曲げ負荷をかけることなくランプを挾持することができる。
【００６６】
また、本発明によれば、貫通孔により可撓部が形成されているため、ランプからクリップに吸熱される熱容量を低減でき、光源装置のクリップによる輝度ムラをより一層減少することができ、また、クリップの材料費を低減でき、コストをより一層低減できる。
【００６７】
また、本発明によれば、支持部材に開設される孔に保持凸部が挿嵌されるため、複数の挾持部の支持部材に対する位置を保持することができ、ランプの挾持姿勢をより一層安定させることができる。
【００６８】
また、本発明によれば、複数の可撓部の間に取付部が配置されているため、複数の挾持部の支持部材に対する位置を保持することができるに拘らず、取付部を一つにすることができ、コストを低減できる。
【００６９】
また、本発明によれば、可撓部に影響されることなく柱形突起の起立状態を保つことができるため、表示装置における光学シートを適正に受止めることができる。
【００７０】
また、本発明によれば、一面及び他面に可撓溝部を有するため、二つの挾持部をランプと平行的に変位させることができ、ランプの挾持姿勢をより一層安定させることができる。
【００７１】
また、本発明によれば、ランプの並置間隔が異なる光源装置であっても、共通のクリップでランプを挾持することができ、光源装置の機種に対するクリップの種類を減少することができる。従って、クリップのコストを低減でき、また、クリップの管理が行い易い。また、可撓部の撓みにより挾持部の間の距離を変えたとき、複数の挾持部をランプの長手方向へ変位させることができ、隣合うランプ同士の挾持部が上下方向に重ならなくなるので、光源装置のクリップによる輝度ムラを減少することができる。
また、可撓部は挾持部の間の距離を変えることができる程度に薄肉に形成されるため、ランプからクリップに吸熱される熱容量を低減できる。従って、ランプの点灯初期において、ランプの温度が定常状態になる時間を早くすることができ、輝度ムラの発生時間を短くすることができ、表示品位を改善できる。また、クリップの材料費を低減でき、コストをより一層低減できる。
【００７２】
また、本発明によれば、挾持部を摺動操作することにより挾持部の間の距離を容易に変えることができるため、ランプの挾持作業性を向上できる。
【００７３】
また、本発明によれば、可動の挾持部をランプと平行的に摺動させることができるため、ランプに曲げ負荷をかけることなくランプを挾持することができる。
【００７４】
また、本発明によれば、複数の挾持部をランプと平行となるように位置調整することができるため、並置間隔が異なるランプの挾持作業性を向上できる。
【００７５】
また、本発明によれば、ランプの並置間隔が異なる光源装置であっても、共通のクリップでランプを挾持することができ、並置間隔が異なるランプに対するクリップの種類を減少することができ、光源装置のコストを低減できる。
【００７６】
また、本発明によれば、二つの挾持部間の前記並置方向の距離を調整することなく、並置間隔が異なるランプを容易に挾持することができる。
【発明を実施するための最良の形態】
【００７７】
以下本発明をその実施の形態を示す図面に基づいて詳述する。図１は本発明に係るクリップの構成を示すもので、(a) は正面図、(b) は右側面図、(c) は左側面図である。また、図２は挾持部間の距離を短くした状態を示すもので、(a) は正面図、(b) は右側面図、(c) は左側面図である。また、図３はクリップと支持部材との関係を示す説明図、図４は並置間隔Ｈが広いランプを支持する支持部材を備える光源装置の構成を示す正面図、図５は並置間隔Ｈが狭いランプを支持する支持部材を備える光源装置の構成を示す正面図、図６はクリップを支持部材に取付けた状態を示す拡大断面図、図７はクリップがランプを支持部材に保持した状態を示す正面図である。
【００７８】
図示した光源装置は、直方体をなす枠部１１及び周縁部が枠部１１に結合され、該枠部１１の後側端を閉鎖する後壁１２を有し、前側が開放されている箱形をなす支持部材１と、該支持部材１内に上下に等間隔で並置される杆状の複数のランプ２と、該ランプ２の両端部を枠部の内側に保持するホルダと、前記ランプ２の途中を前記後壁１２に保持する複数のクリップ３とを備え、支持部材１の内面部は、ランプ２が発光した光を支持部材１の開放部側に反射させるべき反射面になっている。
【００７９】
このように構成された光源装置は、機種によって杆状のランプ２の並置間隔Ｈが異なる。並置間隔Ｈが広い一の機種における支持部材１の後壁１２には、図４に示すように隣合う二本のランプ２，２の間で且つランプ２の長手方向中央側に、上下に離隔して複数の係止孔１３が開設されており、また、隣合う二本のランプ２，２と対向する位置で係止孔１３と上下に並ぶ回り止凹部１４，１４が開設されている。
【００８０】
並置間隔Ｈが狭い他の機種における支持部材の後壁には、図５に示すように隣合う二本のランプ２，２の間で且つランプ２の長手方向中央側に、上下に離隔して複数の係止孔１３が開設されており、また、隣合う二本のランプ２，２と対向する位置で係止孔１３に対してランプ２の長手方向両側へ変位する回り止凹部１４，１４が開設されている。
【００８１】
係止孔１３は丸形をなし、回り止凹部１４，１４は長手方向が上下となる長円形をなしており、ランプ２の本数に対応して係止孔１３及び回り止凹部１４，１４の群が複数設けられる。
【００８２】
ランプ２は両端部に電極を有する冷陰極管であり、夫々のランプ２の電極にインバータ回路基板が接続され、パルス幅変調信号により明るさが制御されるように構成されている。
【００８３】
クリップ３は支持部材１の反射面に対向する基板３１と、一の機種の前記並置間隔Ｈと等間隔で一面に突設され隣合う２本のランプ２，２の中間部が嵌合挾持される二つの挾持部３２，３２と、該挾持部３２，３２の間の中央部に突設された柱形突起３３と、基板３１の他面の中央部に突設され、係止孔１３に挿嵌係止される取付部３４と、該取付部３４の両側に配置され、回り止凹部１４，１４に嵌入される二つの保持凸部３５，３５と、挾持部３２，３２及び柱形突起３３の間に配置され、挾持部３２，３２の間の距離を短くする方向への撓みが可能な二つの第１の可撓部３６，３６とを有する合成樹脂製であり、一体成形されている。
【００８４】
取付部３４は板状の突片の先端に二つの爪部を有し、爪部が係止孔１３の孔縁部に係止される。挾持部３２，３２は、ランプ２を挾持する二つの挾持片を有する。柱形突起３３は円錐形をなし、挾持部３２，３２より取付部３４と反対方向へ延出されている。
【００８５】
可撓部３６，３６は基板３１の二箇所を板面に沿う方向へ窪ませて薄肉とすることにより形成されており、挾持部３２，３２の相対位置を変更する位置変更手段を構成している。また、可撓部３６，３６は挾持部３２，３２の間の前記ランプ２が並置される方向への距離を変更する距離変更手段を構成している。
【００８６】
以上のように構成された光源装置は、支持部材１の係止孔１３にクリップ３の取付部３４が挿嵌係止されるとともに、保持凸部３５，３５が回り止凹部１４，１４に嵌入され、また、支持部材１内に複数本のランプ２が並置され、ホルダを枠部１１に取付けることによりランプ２の両端部が支持部材１内に保持されるとともに、ランプ２の中間部がクリップ３の挾持部３２，３２に挿嵌挾持される。
【００８７】
クリップ３は挾持部３２，３２間に可撓部３６，３６を有し、該可撓部３６，３６を撓ませることにより挾持部３２，３２間の距離を変えることができるように形成されているため、図４に示すようにランプ２の並置間隔Ｈが広い一の機種にあっては、可撓部３６，３６を撓ませることなく挾持部３２，３２間の距離が最長のＬになっている状態で、隣合う２本のランプ２，２の中間部を挾持することができる。
【００８８】
また、図５に示すようにランプ２の並置間隔Ｈが狭い他の機種にあっては、可撓部３６，３６を撓ませ、挾持部３２，３２間の距離が最長のＬより短いＬ１になっている状態で、隣合う２本のランプ２，２の途中を挾持することができる。また、可撓部３６，３６での撓み角度は任意に変えることができるため、前記並置間隔Ｈが異なる複数の機種に共用することができる。
【００８９】
２本のランプ２，２の途中を挾持したクリップ３の挾持部３２，３２側は、保持凸部３５，３５及び回り止凹部１４，１４により挾持部３２，３２の後壁１２に対する移動を防ぐことができるため、挾持部３２，３２からランプ２に曲げ負荷が加わることがない。
【００９０】
また、前記並置間隔Ｈが狭い他の機種にあっては、図２に示すようにランプ２を挾持した挾持部３２，３２がランプ２の長手方向へ変位することで、隣合うランプ２同士の挾持部３２，３２が上下方向に重ならなくなるので、更に、この部分での輝度ムラができ難い。また、基板３１の二箇所を板面に沿う方向へ窪ませて薄肉とすることにより可撓部３６，３６が形成されており、クリップ３の容積を減らしてあるため、ランプ２からクリップ３に吸熱される熱容量を低減できる。従って、ランプ２の点灯初期において、ランプ２の温度が定常状態になる時間が早くなり、輝度ムラの発生時間が短くなるので表示品位が改善できる。
【００９１】
図８乃至図１１はクリップ３の他の構成を示すもので、夫々の図の(a) は正面図、(b) は右側面図、(c) は左側面図、(d) は挾持部３２，３２間の距離を短くした状態を示す右側面図である。
【００９２】
図８に示すクリップは取付部３４を一つにする代わりに、取付部３４を二つとし、取付部３４，３４の間に位置決め凸部３７を設けたものである。取付部３４，３４は挾持部３２，３２間の距離と等距離に配置されている。
【００９３】
クリップ３が取付けられる光源装置の支持部材１の後壁１２には、二つの回り止凹部１４，１４に代えて丸形をなす二つの係止孔１３，１３が開設されており、また、係止孔１３，１３の間に、位置決め凸部３７に対応する位置決め凹部が設けられており、ランプ２の本数に対応して係止孔１５，１５及び位置決め凹部の群が複数設けられる。
【００９４】
ランプ２の並置間隔Ｈが広い光源装置の支持部材１に設けられる係止孔１３，１３は、隣合う二本のランプ２，２と対向する位置で且つ前記位置決め凹部と上下に並ぶ位置に開設される。また、ランプ２の並置間隔Ｈが狭い光源装置の支持部材１に設けられる係止孔１３，１３は、隣合う二本のランプ２，２と対向する位置で前記位置決め凹部に対してランプ２の長手方向両側へ変位する位置に開設される。
【００９５】
この実施の形態にあっては、二つの取付部３４，３４が支持部材１の係止孔１３，１３に挿嵌係止され、位置決め凸部３７が位置決め凹部に嵌入され、支持部材１に対するクリップ３の取付位置が決められる。従って、二つの係止孔１３，１３及び位置決め凹部の群にクリップ３を正確に取付けることができる。また、可撓部３６，３６より挾持部３２，３２側に二つの取付部３４，３４が設けられているため、挾持部３２，３２の支持部材１に対する安定性を高めることができる。
【００９６】
また、前記並置間隔Ｈが狭い他の機種にあっては、ランプ２を挾持した挾持部３２，３２がランプ２の長手方向へ変位することで、隣合うランプ２同士の挾持部３２，３２が上下方向に重ならなくなるので、更に、この部分での輝度ムラができ難い。
その他の構成及び作用は図１及び図２のクリップと同様であるため、同様の部品については同じ符号を付し、その詳細な説明及び作用効果の説明を省略する。
【００９７】
図９に示すクリップ３は二つの挾持部３２，３２及び取付部３４，３４を有するものにおいて、取付部３４，３４の外側に保持凸部３５ａ，３５ａを設けたものである。
【００９８】
クリップ３が取付けられる光源装置の支持部材１の後壁１２には、保持凸部３５ａ，３５ａが嵌入される回り止凹部が開設されており、ランプ２の本数に対応して係止孔１５，１５、前記位置決め凹部及び前記回り止凹部の群が複数設けられる。
【００９９】
この実施の形態にあっては、二つの取付部３４，３４が支持部材１の係止孔１３，１３に挿嵌係止され、位置決め凸部３７が位置決め凹部に嵌入され、保持凸部３５ａ，３５ａが回り止凹部に嵌入される。従って、挾持部３２，３２の後壁１２に対する移動を防ぐことができるため、挾持部３２，３２からランプ２，２に曲げ負荷が加わることがない。
その他の構成及び作用は図１及び図２のクリップと同様であるため、同様の部品については同じ符号を付し、その詳細な説明及び作用効果の説明を省略する。
【０１００】
図１０に示すクリップ３は二つの挾持部３２，３２及び取付部３４，３４を有するものにおいて、基板３１を板面に沿う方向へ窪ませて薄肉とすることにより第１の可撓部３６，３６を形成する代わりに、基板３１の中央部、換言すると挾持部３２，３２の間に、両面を貫通する矩形の貫通孔３８，３８を開設し、該貫通孔３８，３８の挾持部３２，３２側角部に第２の可撓部３６ａ，３６ａを設け、二つの可撓部３６ａ，３６ａ間の基板３１に柱形突起３３を設けたものである。尚、第２の可撓部３６ａ，３６ａが挾持部３２，３２の相対位置を変更する位置変更手段、及び距離変更手段を構成している。
【０１０１】
この実施の形態において、前記並置間隔Ｈが広い一の機種にあっては、可撓部３６ａ，３６ａを撓ませることなく二つの取付部３４，３４が支持部材１の係止孔１３，１３に挿嵌係止されるため、挾持部３２，３２間の距離は最長のＬである。前記並置間隔Ｈが狭い他の機種にあっては、可撓部３６ａ，３６ａが撓み、ランプ２，２を挾持した挾持部３２，３２がランプ２の長手方向へ変位することで、挾持部３２，３２間の距離が最長のＬより短いＬ１になる。また、挾持部３２，３２がランプ２の長手方向へ変位することで、隣合うランプ２同士の挾持部３２，３２が上下方向に重ならなくなるので、更に、この部分での輝度ムラができ難い。また、非可撓部に柱形突起３３が設けられているため、可撓部３６ａ，３６ａに影響されることなく柱形突起３３の起立状態を保つことができ、表示装置における光学シートを適正に受止めることができる。
その他の構成及び作用は図１及び図２のクリップと同様であるため、同様の部品については同じ符号を付し、その詳細な説明及び作用効果の説明を省略する。
【０１０２】
図１１に示すクリップ３は二つの挾持部３２，３２及び取付部３４，３４を有するものにおいて、基板３１を板面に沿う方向へ窪ませて薄肉とすることにより第１の可撓部３６，３６を形成する代わりに、基板３１の中央部、換言すると挾持部３２，３２の間に、両面を貫通する矩形の貫通孔３８，３８を開設し、該貫通孔３８，３８の挾持部３２，３２側角部と、挾持部３２，３２間の中央部との三箇所に第３の可撓部３６ｂ，３６ｂ，３６ｂを設け、貫通孔３８，３８の一側で、且つ二つの可撓部３６ｂ，３６ｂ間の基板３１に柱形突起３３を設けたものである。尚、第３の可撓部３６ｂ，３６ｂが挾持部３２，３２の相対位置を変更する位置変更手段、及び距離変更手段を構成している。
【０１０３】
並置間隔Ｈが広い一の機種、及び並置間隔Ｈが狭い他の機種における支持部材１の後壁１２には、隣合う二本のランプ２，２と対向する位置に、上下に離隔して係止孔１３，１３が開設されている。
【０１０４】
この実施の形態において、前記並置間隔Ｈが広い一の機種にあっては、可撓部３６ｂ，３６ｂ，３６ｂを撓ませることなく二つの取付部３４，３４が支持部材１の係止孔１３，１３に挿嵌係止されるため、挾持部３２，３２間の距離は最長のＬである。前記並置間隔Ｈが狭い他の機種にあっては、三つの可撓部３６ｂ，３６ｂ，３６ｂが撓み、ランプ２，２を挾持した挾持部３２，３２が互いに接近する方向へ変位するため、挾持部３２，３２間の距離は最長のＬより短いＬ１になる。また、非可撓部に柱形突起３３が設けられているため、可撓部３６ｂに影響されることなく柱形突起３３の起立状態を保つことができ、表示装置における光学シートを適正に受止めることができる。
その他の構成及び作用は図１及び図２のクリップと同様であるため、同様の部品については同じ符号を付し、その詳細な説明及び作用効果の説明を省略する。
【０１０５】
図１２はクリップ３の他の構成を示すもので、(a) は正面図、(b) 及び(c) は挾持部３２，３２間の距離を短くした状態を示す正面図である。このクリップ３は二つの挾持部３２，３２及び取付部３４，３４を有するものにおいて、板面に沿う方向へ窪ませて薄肉とすることにより第１の可撓部３６，３６を形成する代わりに、基板３１の他面に第１の可撓溝部３９，３９を設け、一面に第２の可撓溝部３９ａ，３９ａを設けることにより、二つの挾持部３２，３２の間の距離を代えることができるように構成したものである。尚、第１及び第２の可撓溝部３９，３９ａが挾持部３２，３２の相対位置を変更する位置変更手段、及び距離変更手段を構成している。
【０１０６】
第１の可撓溝部３９，３９は基板３１の他面に二つの溝を離隔して設け、第２の可撓溝部３９ａ，３９ａは基板３１の一面に二つの溝を離隔して設けてあり、挾持部３２，３２間の基板３１を台形状に変形させることができるように構成されている。基板３１の他面で、挾持部３２，３２の間に二つの第１の可撓溝部３９，３９をランプ２の長手方向と平行的に設け、基板３１の一面で、第１の可撓溝部３９，３９の間に二つの第２の可撓溝部３９ａ，３９ａをランプ２の長手方向と平行的に設けてある。また、基板３１の一面で、第２の可撓溝部３９ａ，３９ａの間には柱形突起３３が設けられている。
【０１０７】
並置間隔Ｈが広い一の機種、及び並置間隔Ｈが狭い他の機種における支持部材１の後壁１２には、隣合う二本のランプ２，２と対向する位置に、上下に離隔して係止孔１３，１３が開設されている。
【０１０８】
並置間隔Ｈが広い一の機種にあっては、可撓溝部３９，３９ａを撓ませることなく二つの取付部３４，３４が支持部材１の係止孔１３，１３に挿嵌係止される。前記並置間隔Ｈが狭い他の機種にあっては、可撓溝部３９，３９ａが撓み、基板３１の中央部が台形状に変形し、ランプ２を保持した挾持部３２，３２が互いに接近する方向へ変位し、挾持部３２，３２間の間隔が狭くなる。
【０１０９】
尚、以上説明した実施の形態では二つの挾持部３２，３２を有し、２本のランプを挾持するクリップ３について説明したが、その他、クリップ３は三つ以上の挾持部３２を有し、３本以上のランプを挾持する構成としてもよく、二つ以上の挾持部３２を有する構成であればよい。図１３は三つの挾持部３２を有するクリップの構成を示すもので、(a) は正面図、(b) は右側面図、(c) は左側面図である。この実施の形態では三つの挾持部３２の間に夫々二つの可動部３６を設けてある。また、二つの取付部３４及び三つの保持凸部３５を有するが、これら取付部３４及び保持凸部３５の個数は特に制限されない。また、図９〜図１２においても同様に構成することができる。
【０１１０】
また、以上説明した実施の形態では柱形をなす取付部３４を有する構成としたが、その他、取付部３４は例えば磁石で支持部材１に取付ける構成としてもよく、取付部３４の構成は特に制限されない。
また、柱形突起３３を有する構成としたが、その他、柱形突起３３は必ずしも必要でない。
【０１１１】
また、挾持部３２，３２の支持部材１に対する位置を保持する手段として保持凸部を設けたが、その他、保持凸部を設けることなく取付部を例えば断面楕円形等の非円形とし、楕円形等の非円形の係止孔に挿通係止するように構成してもよい。
【０１１２】
また、本発明に係るクリップは、上下に等間隔で並置されているランプを備える光源装置に用いる他、上下に不等間隔で並置されているランプを備える光源装置に用いてもよい。また、光源装置は上下に不等間隔で並置されているランプを備える構成であってもよい。
【０１１３】
また、本発明の他の実施の形態について以下図面に基づいて詳述する。図１４は本発明に係る光源装置の他の構成を示す正面図、図１５はクリップの他の構成を示す取付部の拡大断面図、図１６はクリップの他の構成を示す一部分解斜視図、図１７はクリップの組立て過程を示す斜視図、図１８はクリップの組立て過程を示す説明図、図１９はクリップの挾持部間の間隔を変更した状態の斜視図、図２０は支持部材の一部を省略した正面図である。
【０１１４】
図１４〜図２０に示した光源装置は、直方体をなす枠部１１及び周縁部が枠部１１に結合され、該枠部１１の後側端を閉鎖する後壁１２を有し、前側が開放されている箱形をなす支持部材１と、該支持部材１内に上下に異なる間隔で並置される杆状の複数のランプ２と、該ランプ２の両端部を枠部の内側に保持するホルダと、前記ランプ２の途中を前記後壁１２に保持する複数のクリップ４とを備え、支持部材１の内面部は、ランプ２が発光した光を支持部材１の開放部側に反射させるべき反射面になっている。
【０１１５】
ランプ２は図１４、図２０に示されているように並置方向中央の並置間隔が最狭となり、並置方向上側及び下側へ至るにしたがって並置間隔が段階的に広くなるように並置されており、この並置間隔を前記ホルダが維持するように構成されている。また、ランプ２は両端部に電極を有する冷陰極管であり、夫々のランプ２の電極にインバータ回路基板が接続され、パルス幅変調信号により明るさが制御されるように構成されている。
【０１１６】
クリップ４は隣合う２本のランプ２，２の途中が嵌合挾持される第１及び第２の挾持部４１，４２と、支持部材１の反射面に対向し、第１及び第２の挾持部４１，４２を保持する板状の保持台４３と、該保持台４３を支持部材１に取付ける第１及び第２の取付部４４，４５と、第１及び第２の挾持部４１，４２の間の中央部に突設された柱形突起４６とを有する合成樹脂製である。
【０１１７】
保持台４３は矩形の板状をなし、該保持台４３の長手方向一端部の一面に第１の挾持部４１が、他面に第１の取付部４４が、また、一面の中央部に柱形突起４６が夫々一体に設けられている。保持台４３の他端部には長手方向に沿って長円形の保持孔４３ａが開設されており、また、保持孔４３ａから長手方向の端縁に開放された開放部４３ｂが設けられている。尚、保持孔４３ａが挾持部４１，４２の相対位置を変更する位置変更手段、及び距離変更手段を構成している。
【０１１８】
第２の挾持部４２及び第２の取付部４５は一体に成形されており、該第２の取付部４５が保持孔４３ａに摺動を可能に挿嵌保持されている。第１及び第２の挾持部４１，４２は、ランプ２を挾持する二つの挾持片を有する。第１及び第２の取付部４４，４５は板状の基部４４ａ，４５ａの先端に二つの爪部４４ｂ，４５ｂを有し、爪部４４ｂ，４５ｂが後記する取付孔１６，１６の孔縁部に係止される。第２の取付部４５の板状の基部４４ａは、保持孔４３ａ内で約９０度回動を可能に形成されており、約９０度回動された状態で保持孔４３ａ及び開放部４３ｂから抜出ないようになっている。
【０１１９】
第２の挾持部４２と第２の取付部４５との間の境界部には開放された開放部４３ｂに挿嵌されて第２の挾持部４２及び第２の取付部４５の保持台４３に対する回動を規制する規制片（規制部）４７が設けられている。
【０１２０】
規制片４７は、第２の取付部４５の基部４５ａが開放部４３ｂから保持孔４３ａに挿嵌されたとき保持台４３の一側面に接触し、この状態で第２の挾持部４２及び第２の取付部４５が約９０度回動されると、開放部４３ｂに臨む位置に規制片４７が位置し、この状態で規制片４７を開放部４３ｂに挿嵌することにより、第２の挾持部４２及び第２の取付部４５の回動を規制することができ、この状態で第２の挾持部４２及び第２の取付部４５を保持孔４３ａ内で保持孔４３ａに沿って摺動することが可能に構成されている。
【０１２１】
柱形突起４６は円錐形をなし、挾持部４１，４２より取付部４４，４５と反対方向へ延出されている。
【０１２２】
支持部材１の後壁１２にはランプ２の長手方向中央部と対向する位置で、且つランプ２の並置方向へ離隔した位置にランプ２の並置間隔で開設される二つの取付孔１６，１６の群がランプ２の本数に対応して複数設けられている。
【０１２３】
以上のように構成された光源装置は、支持部材１の二つの取付孔１６，１６にクリップ４の第１及び第２の取付部４４，４５が挿嵌係止され、また、支持部材１内に複数本のランプ２が上下に離隔して並置され、ホルダを枠部１１に取付けることによりランプ２の両端部が支持部材１内に保持されるとともに、隣合う二つのランプ２，２の中間部（中央部）がクリップ４の第１の挾持部４１、第２の挾持部４２に挿嵌挾持される。
【０１２４】
クリップ４の第２の挾持部４２及び第２の取付部４５は保持台４３の保持孔４３ａに摺動を可能に保持されており、第２の挾持部４２及び第２の取付部４５を保持孔４３ａ内で摺動させることにより第１及び第２の挾持部４１，４２間の距離を変えることができるため、並置間隔が異なるランプ２に対してクリップ４を共通化することができる。
【０１２５】
挾持するランプ２の並置間隔が異なるとき、第２の挾持部４２及び第２の取付部４５を摺動させることにより、隣合うランプ２，２を無理なく容易に挾持することができ、ランプ２の挾持作業性を向上できる。
【０１２６】
図２１は光源装置の他の構成を示す正面図、図２２は他のクリップの取付部の拡大断面図、図２３はクリップの他の構成を示すもので、(a) は分解した斜視図、(b) は組込まれた状態の斜視図である。また、図２４はクリップと取付孔との関係を示す模式図である。この光源装置は図１４に示されている光源装置と同様、ランプ２の並置方向中央の並置間隔が最狭となり、並置方向上側及び下側へ至るにしたがって並置間隔が段階的に広くなるようにランプ２が並置される光源装置において、クリップ４の第２の挾持部４２及び第２の取付部４５を保持台４３に摺動を可能に保持する代わりに、第１の挾持部４１及び第１の取付部４４と、第２の挾持部４２及び第２の取付部４５とを保持台４３に回動を可能に保持したものである。
【０１２７】
第１の挾持部４１及び第１の取付部４４、第２の挾持部４２及び第２の取付部４５は夫々一体に成形されており、また、矩形の板状をなす保持台４３の長手方向両端部には円形の保持孔４３ｃ，４３ｃが開設されており、該保持孔４３ｃ，４３ｃに第１及び第２の取付部４４，４５が回動を可能に挿嵌係止されている。尚、第１及び第２の取付部４４，４５を回動を可能にしてある構成が挾持部４１，４２の相対位置を変更する位置変更手段、及び距離変更手段である。
【０１２８】
第１及び第２の取付部４４，４５は、保持孔４３ｃ，４３ｃ及び後記する取付孔１７，１７、１８，１８の孔径に対応する大きさの板状の基部４４ｃ，４５ｃと、該基部４４ｃ，４５ｃの先端で分岐する二つの爪部４４ｂ，４５ｂを有し、保持孔４３ｃ，４３ｃ及び取付孔１７，１７、１８，１８に挿嵌されるとき爪部４４ｂ，４５ｂが撓み、挿嵌後に爪部４４ｂ，４５ｂが弾性復元することにより該爪部４４ｂ，４５ｂが保持孔４３ｃ，４３ｃの孔縁部、又は、取付孔１７，１７、１８，１８の孔縁部に係止され、この係止状態で回動が可能、換言すると第１及び第２の挾持部４１，４２間の一定の距離上で回動が可能になっている。
【０１２９】
図２５はクリップとランプとの関係を示す説明図である。クリップ４が取付けられる光源装置の支持部材１の後壁１２には、ランプ２の並置方向と平行の第１位置に二つの第１の取付孔１７，１７が開設され、前記並置方向と傾斜する第２位置に二つの第２の取付孔１８，１８が開設されている。第２位置の前記並置方向に対する傾斜角は、ランプ２の並置間隔に対応して異なり、前記並置間隔が広くなるにしたがって前記傾斜角が小さくなる。また、第１の取付孔１７，１７間の距離と、第２の取付孔１８，１８間の距離とは等しい。
【０１３０】
この実施の形態にあっては、第１及び第２の取付孔１７，１７、１８，１８に取付部４４，４５が挿嵌係止されたクリップ４は、挾持部４１，４２間の並置方向の距離がランプ２の並置間隔に対応して異なり、しかも、各クリップ４の第１及び第２の挾持部４１，４２が保持台４３に対して回動可能であるため、ランプ２の位置に対応して第１及び第２の挾持部４１，４２を回動させることによりランプ２を無理なく容易に挾持することができる。
その他の構成及び作用は図１５、図１６のクリップと同様であるため、同様の部品については同じ符号を付し、その詳細な説明及び作用効果の説明を省略する。
【０１３１】
尚、以上説明した実施の形態では二つの挾持部４１，４２を有し、２本のランプを挾持するクリップ４について説明したが、その他、クリップ４は三つ以上の挾持部４２を有し、３本以上のランプを挾持する構成としてもよく、二つ以上の挾持部を有する構成であればよい。また、挾持部は一つを摺動可能とする他、複数又は全てを摺動可能としてもよい。
【０１３２】
また、以上説明した実施の形態では二つの柱形をなす取付部４４，４５を有する構成としたが、その他、取付部４４，４５は例えば磁石で支持部材１に取付ける構成としてもよく、取付部４４，４５の構成は特に制限されない。
また、柱形突起４６を有する構成としたが、その他、柱形突起４６は必ずしも必要でない。
【０１３３】
また、本発明に係るクリップ４は、上下に不等間隔で並置されているランプ２を備える光源装置に用いる他、上下に等間隔で並置されているランプ２の並置間隔が機種によって異なる光源装置に用いてもよい。
【図面の簡単な説明】
【０１３４】
【図１】本発明に係るクリップの構成を示すもので、(a) は正面図、(b) は右側面図、(c) は左側面図である。
【図２】本発明に係るクリップの挾持部間の距離を短くした状態を示すもので、(a) は正面図、(b) は右側面図、(c) は左側面図である。
【図３】本発明に係るクリップと支持部材との関係を示す説明図である。
【図４】並置間隔が広いランプを支持する支持部材を備える光源装置の構成を示す正面図である。
【図５】並置間隔が狭いランプを支持する支持部材を備える光源装置の構成を示す正面図である。
【図６】本発明に係るクリップを支持部材に取付けた状態を示す拡大断面図である。
【図７】本発明に係るクリップがランプを支持部材に保持した状態を示す正面図である。
【図８】本発明に係るクリップの他の構成を示すもので、(a) は正面図、(b) は右側面図、(c) は左側面図、(d) は挾持部間の距離を短くした状態を示す右側面図である。
【図９】本発明に係るクリップの他の構成を示すもので、(a) は正面図、(b) は右側面図、(c) は左側面図、(d) は挾持部間の距離を短くした状態を示す右側面図である。
【図１０】本発明に係るクリップの他の構成を示すもので、(a) は正面図、(b) は右側面図、(c) は左側面図、(d) は挾持部間の距離を短くした状態を示す右側面図である。
【図１１】本発明に係るクリップの他の構成を示すもので、(a) は正面図、(b) は右側面図、(c) は左側面図、(d) は挾持部間の距離を短くした状態を示す右側面図である。
【図１２】本発明に係るクリップの他の構成を示すもので、(a) は正面図、(b) 及び(c) は挾持部間の距離を短くした状態を示す正面図である。
【図１３】三つの挾持部を有するクリップの構成を示すもので、(a) は正面図、(b) は右側面図、(c) は左側面図である。
【図１４】本発明に係る光源装置の他の構成を示す正面図である。
【図１５】本発明に係るクリップの他の構成を示す取付部の拡大断面図である。
【図１６】本発明に係るクリップの他の構成を示す一部分解斜視図である。
【図１７】本発明に係るクリップの組立て過程を示す斜視図である。
【図１８】本発明に係るクリップの組立て過程を示す説明図である。
【図１９】本発明に係るクリップの挾持部間の間隔を変更した状態の斜視図である。
【図２０】本発明に係る光源装置の支持部材の一部を省略した正面図である。
【図２１】本発明に係る光源装置の他の構成を示す正面図である。
【図２２】他のクリップの取付部の拡大断面図である。
【図２３】本発明に係るクリップの他の構成を示すもので、(a) は分解した斜視図、(b) は組込まれた状態の斜視図である。
【図２４】本発明に係るクリップと取付孔との関係を示す模式図である。
【図２５】本発明に係るクリップとランプとの関係を示す説明図である。
【符号の説明】
【０１３５】
１    支持部材
２    ランプ
３    クリップ
３２  挾持部
３４  取付部
３６，３６ａ，３６ｂ  可撓部（位置変更手段、距離変更手段）
３９，３９ａ  可撓溝部（位置変更手段、距離変更手段）
４    クリップ
４１，４２  挾持部
４４，４５  取付部
４７  規制片（規制部）
１６  取付孔
１７  第１の取付孔
１８  第２の取付孔
【図１】
2008066283.tif 000003
【図２】
2008066283.tif 000004
【図３】
2008066283.tif 000005
【図４】
2008066283.tif 000006
【図５】
2008066283.tif 000007
【図６】
2008066283.tif 000008
【図７】
2008066283.tif 000009
【図８】
2008066283.tif 000010
【図９】
2008066283.tif 000011
【図１０】
2008066283.tif 000012
【図１１】
2008066283.tif 000013
【図１２】
2008066283.tif 000014
【図１３】
2008066283.tif 000015
【図１４】
2008066283.tif 000016
【図１５】
2008066283.tif 000017
【図１６】
2008066283.tif 000018
【図１７】
2008066283.tif 000019
【図１８】
2008066283.tif 000020
【図１９】
2008066283.tif 000021
【図２０】
2008066283.tif 000022
【図２１】
2008066283.tif 000023
【図２２】
2008066283.tif 000024
【図２３】
2008066283.tif 000025
【図２４】
2008066283.tif 000026
【図２５】
2008066283.tif 000027